(57)【要約】      （修正有）【課題】ラックに加えられ得る外部からの衝撃を予め吸収するポールタイププロテクターを提供する。【解決手段】コラム部材と、クランプと、前記管型のクランプの下端部を上部面に安着させて支持し下部面は底に接触して配置され中心方向に沿って内部の中空が形成される弾性材質の衝撃吸収部材と、支持部材と、を含み、前記管型のクランプは前記管型のクランプの上端部に形成され前記コラム部材の下端部が挿入されるコラム部材の挿入口を備える管型の胴体と、前記管型のクランプの下端部に形成され前記管型の胴体に比べて大きい外径を有するように外側に確張するように形成された外径延長部と、を含み、前記管型の胴体の外周面に沿って多数のネジ締結孔が形成され前記コラム部材の挿入口を通じて前記コラム部材の下端部が挿入された後、前記多数のネジ締結孔を用いて多数のネジが締結され前記コラム部材の下端部と前記管型の胴体を固定することを特徴とする。【選択図】図１０
2018066144.tif 000002
【特許請求の範囲】
【請求項１】
ラックから離隔して底上に立てて設けられる管型のコラム部材と、前記コラム部材の下端部を挿入して固定させる管型のクランプと、前記管型のクランプの下端部を上部面に安着させて支持し、下部面は底に接触して配置され、中心方向に沿って内部の中空が形成される弾性材質の衝撃吸収部材と、前記管型のクランプを貫通して底に固定され、前記管型のクランプの下端部と前記衝撃吸収部材を共に固定させるプランジ型の支持部材と、を含み、
前記管型のクランプは、前記管型のクランプの上端部に形成され、前記コラム部材の下端部が挿入されるコラム部材の挿入口を備える管型の胴体と、前記管型のクランプの下端部に形成され、前記管型の胴体に比べて大きい外径を有するように外側に確張するように形成された外径延長部と、を含み、
前記管型の胴体の外周面に沿って多数のネジ締結孔が形成され、前記コラム部材の挿入口を通じて前記コラム部材の下端部が挿入された後、前記多数のネジ締結孔を用いて多数のネジが締結され、前記コラム部材の下端部と前記管型の胴体を固定し、
前記衝撃吸収部材は、前記管型のクランプの下端部が安着される上部面と地面に接触する下部面がそれぞれ平坦に形成され、前記衝撃吸収部材の上部面の外径の大きさは前記管型のクランプの下端部と等しいか、これより小さく形成され、前記衝撃吸収部材の下部面の外径の大きさは前記衝撃吸収部材の上部面に比べて大きく形成されるように外側に拡張された形状を有し、
前記プランジ型の支持部材は、前記管型のクランプの外径延長部を係止して固定させる段差部が上端に備えられる上端カバーと、前記上端カバーの下部から外側に拡張された形状を有し、底の地面に向けて多数の固定ボルトを締結させるための多数の固定ボルトの締結孔を備える下端固定プレートと、を含み、前記上端カバーと前記下端固定プレートとの間で構造を補強するために傾くように連結される傾斜連結部が更に備えられることを特徴とする、ラックを保護するためのポールタイププロテクター。
【請求項２】
本体部と前記本体部の底面に結合空間部を形成し、一端に係止突起が一体に成形されている支持部で構成され、コラム部材の上端に脱装着されるキャップと、
スピーカー及び感知センサーで構成されており、バッテリーにより作動するセンサーモジュールと、を更に含み、
前記結合空間部にセンサーモジュールを設け、係止突起により固定することを特徴とする、請求項１に記載のラックを保護するためのポールタイププロテクター。
【請求項３】
少なくとも一対の前記コラム部材の間を横方向に連結する横方向の連結部材を含み、フェンスの形態に提供され、前記横方向の連結部材の長さの内側には、前記コラム部材の流動に連動して長さの伸縮の調節が行われる伸縮部材が備えられる、請求項１に記載のラックを保護するためのポールタイププロテクター。
【発明の詳細な説明】
【技術分野】
【０００１】
本発明の実施例は、ラックを保護するためのポールタイププロテクターに関し、より詳しくは、ラックに加えられ得る外部からの衝撃を予め吸収することで、ラックの構造的な安全性を確保することができる、ラックを保護するためのポールタイププロテクターに関する。
【背景技術】
【０００２】
一般的に、物流倉庫、倉庫型売場などで、ボックス、パレット単位の商品を効果的に陳列販売するか、または物流を保管するための用途にラック構造物（以下、単に「ラック」と称する。）が利用されている。
【０００３】
ラック（Ｒａｃｋ）は、垂直方向に設けられ、設定された間隔で離隔して配置されたラックポスト（Ｐｏｓｔ）と、ポストの間を水平方向に横切って設けられるロードビーム（Ｌｏａｄ  Ｂｅａｍ）と、ロードビームの間を交差する方向に設けられるタイビーム（Ｔｉｅ  Ｂｅａｍ）などの部材を含む。
【０００４】
このように、ラックは、設置の目的に応じて複雑且つ堅固な構造に設けられるところ、若し、ラックの周辺を走行する移動手段との衝突が引き起こされた際、ラックの構造的な安全性を確保するには困難がある。
【０００５】
よって、ラックの周辺を走行する移動手段が、定められた走行経路から離脱して、ラックに向けて衝突した場合にも、ラックを安定的に保護することができる装置の開発が求められている。
【０００６】
本発明と係わる先行技術として、大韓民国登録特許公報第１０−１２９６１６２号（公告日：２０１３年８月１９日）があり、上記の先行文献には、ラックポスト保護装置に関する技術が開示されている。
【発明の概要】
【発明が解決しようとする課題】
【０００７】
本発明は、外部から大きな衝撃が加えられた場合、設定範囲内で弾性挙動が現われ、ラックの構造的な安全性を確保することができる、ラックを保護するためのポールタイププロテクターを提供する。
【０００８】
尚、本発明は、外部から作業車などが近づく際、これを認知して警告音を発生させることで、作業者や運用者の注意を促して衝突を防止することができる、ラックを保護するためのポールタイププロテクターを提供する。
【０００９】
本発明が解決しようとする課題は、以上で言及した課題に制限されず、ここで言及されていない更に他の課題は、以下の記載から当業者にとって明確に理解されるはずである。
【課題を解決するための手段】
【００１０】
本発明の一側面によると、ラックから離隔して底上に立てて設けられるコラム部材と、前記コラム部材の下端部を挿入して固定させる管型のクランプと、前記管型のクランプの下端部を上部面に安着させて支持し、下部面は底に接触して配置され、中心方向に沿って内部の中空が形成される弾性材質の衝撃吸収部材と、前記管型のクランプを貫通して底に固定され、前記管型のクランプの下端部と前記衝撃吸収部材を共に固定させるプランジ型の支持部材と、を含み、前記管型のクランプは、前記管型のクランプの上端部に形成され、前記コラム部材の下端部が挿入されるコラム部材の挿入口を備える管型の胴体と、前記管型のクランプの下端部に形成され、前記管型の胴体に比べて大きい外径を有するように外側に確張するように形成された外径延長部と、を含み、前記管型の胴体の外周面に沿って多数のネジ締結孔が形成され、前記コラム部材の挿入口を通じて前記コラム部材の下端部が挿入された後、前記多数のネジ締結孔を用いて多数のネジが締結され、前記コラム部材の下端部と前記管型の胴体を固定する、ラックを保護するためのポールタイププロテクターを提供する。
【００１１】
この際、前記衝撃吸収部材は、前記管型のクランプの下端部が安着される上部面と地面に接触する下部面がそれぞれ平坦に形成され、前記衝撃吸収部材の上部面の外径の大きさは前記管型のクランプの下端部と等しいか、これより小さく形成され、前記衝撃吸収部材の下部面の外径の大きさは前記衝撃吸収部材の上部面に比べて大きく形成されるように外側に拡張された形状を有することができる。
【００１２】
また、前記プランジ型の支持部材は、前記管型のクランプの外径延長部を係止して固定させる段差部が上端に備えられる上端カバーと、前記上端カバーの下部から外側に拡張された形状を有し、底の地面に向けて多数の固定ボルトを締結させるための多数の固定ボルトの締結孔を備える下端固定プレートと、を含み、前記上端カバーと前記下端固定プレートとの間で構造を補強するために傾くように連結される傾斜連結部が更に備えられ得る。
【００１３】
一方、少なくとも一対の前記コラム部材の間を横方向に連結する横方向の連結部材を含み、フェンスの形態に提供され、前記横方向の連結部材の長さの内側には、前記コラム部材の流動に連動して長さの伸縮の調節が行われる伸縮部材が備えられる、ラックを保護するためのポールタイププロテクターを提供し得る。
【００１４】
また、管型のコラム部材の上端に結合され得るキャップと、キャップの本体部の底面に結合され、バッテリーにより作動するセンサーモジュールと、を備えており、作業車などが近付く際に警報音を生成することで、作業者の注意を促して衝突を防止することができる、ラックを保護するためのポルタプロテクターを提供し得る。
【発明の効果】
【００１５】
本発明の実施例に係ると、外部から大きな衝撃が加えられた場合、設定範囲内で弾性挙動が現われ、ラックの構造的な安全性を確保することができる。
【００１６】
また、本発明の実施例に係ると、ラックの周辺に沿って設置作業が容易であり、設置に所要される作業時間を大幅に減らすことができる。
【００１７】
さらに、本発明は、近付く作業車に対してセンサーモジュールの感知センサーがこれを感知して、スピーカーを通じて警告音を生成することで、作業者の注意を促して衝突を防止することができる。
【図面の簡単な説明】
【００１８】
【図１】本発明の実施例に係る、ラックを保護するためのポールタイププロテクターを示す斜視図。
【図２】本発明の実施例に係る、ラックを保護するためのポールタイププロテクターのキャップを示す断面図。
【図３】本発明の実施例に係る、ラックを保護するためのポールタイププロテクターの詳細斜視図。
【図４】本発明の実施例に係る、ラックを保護するためのポールタイププロテクターの設置平面図。
【図５】本発明の実施例に係る、ラックを保護するためのポールタイププロテクターの設置断面図。
【図６】本発明の実施例に係る、ラックを保護するためのポールタイププロテクターに衝撃が加えられた姿を示す図。
【図７】本発明の実施例に係る、ラックを保護するためのポールタイププロテクターに横方向の連結部材を設けた姿を簡略に示す図。
【図８】図７の横方向の連結部材の長さの内側に伸縮部材を備えた姿を示す図。
【図９】図７の横方向の連結部材を複数設けた姿を示す図。
【図１０】本発明の実施例に係る、ラックを保護するためのポールタイププロテクターに近づく作業車に対して注意を促す実施図。
【図１１】ラックを保護するためのポールタイププロテクターに対する実施図。
【発明を実施するための形態】
【００１９】
本発明の利点及び特徴、並びに、これらを達成する方法は、添付の図面と共に詳細に後述する実施例を参照すれば明確になるだろう。ところが、本発明は、以下に開示する実施例に限定されず、互いに異なる多様な形態に具現されることができ、単に本実施例は、本発明の開示が完全になるようにし、本発明が属する技術分野で通常の知識を持った者に、発明の範疇を完全に知らせるために提供されるものであり、本発明は、請求項の範疇によって定義されるだけである。明細書の全体に亘って同じ参照符号は同じ構成要素を指称する。
【００２０】
尚、本発明の実施例を説明することにおいて、公知の機能や構成に関する具体的な説明が本発明の要旨を不明にすると判断される場合は、その詳細な説明を省略する。さらに、後述する用語は、本発明の実施例における機能を考慮した上で定義されたものであって、これは使用者、運用者の意図や慣例などに応じて異なることができる。よって、その定義は、本明細書の全般に亘った内容に基づいて行われる必要がある。
【００２１】
以下、添付の図面を参照しながら、本発明のラックを保護するためのポールタイププロテクターについて詳しく説明する。
【００２２】
図１は、本発明の実施例に係る、ラックを保護するためのポールタイププロテクターを示す斜視図である。
【００２３】
図１に示すように、ラックを保護するためのポールタイププロテクター（以下、単に「ポールタイププロテクター」と称する。）１００は、管型のコラム部材１１０、管型のクランプ１２０、衝撃吸収部材１３０（図３を参照）及びプランジ型の支持部材１４０を含む。
【００２４】
図３及び図４は、本発明の実施例に係る、ラックを保護するためのポールタイププロテクターを簡略に示す詳細斜視図及び設置平面図である。
【００２５】
図３及び図４を参照しながら、ラックを保護するためのポールタイププロテクター１００を構成するコラム部材１１０、管型のクランプ１２０、衝撃吸収部材１３０、プランジ型の支持部材１４０について詳述する。
【００２６】
管型のコラム部材１１０は、底（すなわち、地面）から突出するように設けられる部材である。
【００２７】
前記管型のコラム部材１１０の形状及び材質は多様に変更して実施しても構わない。例えば、前記コラム部材１１０の上端には、脱着可能な方式のキャップ３００が備えられることができ、その他にも、ラウンド形状であり、キャップ３００のない形態からなり得る。
【００２８】
キャップは、本体部３０５と支持部３０４で構成されており、管型のコラム部材１１０の上端に脱着可能な方式に装着され得るところ、キャップの底面には結合された支持部３０４は結合空間部３０１を形成することができ、前記支持部３０４の一端には係止突起３０３が一体に成形されている。前記キャップの底面に形成された結合空間部にバッテリー４０２により作動するセンサーモジュール４００が設けられるところ、センサーモジュールに内装されたスピーカー４０１と、突出して結合された感知センサー４０３と、で構成されており、結合空間部にセンサーモジュールが結合され、感知センサー４０３は、キャップ本体部の突出穿孔部３０２を貫通して外部に露出され得るように製作されており、センサーモジュール４００は、前記係止突起３０３により固定して設けられる。図１０に示すように、前記キャップの底面に設けられたセンサーモジュールの感知センサーは、近づく作業車などを感知し、センサーモジュールのスピーカーを作動させることで、作業者の注意を促して安全事故などを最小化することができる。
【００２９】
管型のクランプ１２０は、前記コラム部材１１０の下端部を挿入して固定する部材に該当する。
【００３０】
前記管型のクランプは、その詳細構成として管型の胴体１２１と外径延長部１３５を含んで構成され得る。
【００３１】
前記管型の胴体１２１は、前記管型のクランプ１２０の上端部に形成され得る。
【００３２】
前記管型の胴体１２１の内側の中心には、前記コラム部材の下端部（図３の図面符号１１１）が挿入されるコラム部材の挿入口１２２が形成され得る。
【００３３】
また、前記管型の胴体１２１の外周面に沿って多数のネジ締結孔１２３が形成され得る。
【００３４】
これによって、前記コラム部材の挿入口１２２を通じて、前記コラム部材の下端部１１１が挿入された後、前記多数のネジ締結孔１２３を通じて多数のネジＢを挿入して締結し、前記コラム部材１１０と前記管型の胴体１２１を堅固に固定し得る。
【００３５】
また、万が一、前記コラム部材１１０を分離して修理するか、または新品に入れ替えて装着する必要がある場合、前記多数のネジＢを解いて前記コラム部材１１０の設置状態を解除するか、または容易に入れ替え得る。
【００３６】
衝撃吸収部材１３０は、上部面を通じて前記管型のクランプ１２０の下端部を安着して支持し、下部面は、地面上に接触して配置される弾性材質の部材である。例えば、弾性ゴム、その他の弾性材質の多様な複合材料、バネなどが利用され得る。
【００３７】
前記衝撃吸収部材１３０は、前記管型のクランプ１２０の下端部が安着される上部面１３３と、地面に接触する下部面がそれぞれ平坦に形成されることが好ましい。
【００３８】
尚、前記衝撃吸収部材の上部面１３３の外径の大きさは前記管型のクランプ１２０の下端部と等しいか、これより小さく形成されることができ、下部面の外径の大きさは上部面に比べて大きく形成されるように外側に拡張された形状を有することができる。
【００３９】
このような構造により、前記衝撃吸収部材は、管型のクランプを安定的に安着させると共に、地面に安定的に接触して配置され得る。
【００４０】
一方、前記衝撃吸収部材１３０の中心方向に沿って、内部の中空１３１が形成され得る。
【００４１】
尚、前記衝撃吸収部材１３０は、部位別に互いに異なる材質を有し得る。例えば、衝撃吸収部材１３０の上端部位の場合、弾性変形が相対的に大きく現われる素材を用いることができ、衝撃吸収部材１３０の下端部位の場合、弾性変形が相対的に小さく現われる素材を用いることができる。これは、コラム部材１１０及び管型のクランプ１２０から伝達された外部からの衝撃をより効果的に吸収するためのものである。
【００４２】
また、前記衝撃吸収部材１３０は、ハニカム（ｈｏｎｅｙｃｏｍｂ）形態の内部構造で提供され得る。これも衝撃吸収効果を向上させるためのものである。
【００４３】
さらに、前記衝撃吸収部材１３０は、バネの形態に提供されるか、または前述した素材にバネが内装されている形態に提供され得る。
【００４４】
プランジ型の支持部材１４０は、前記管型のクランプ１２０を貫通して地面上に固定され、前記管型のクランプ１２０の下端部と前記衝撃吸収部材１３０を共に固定させる部材に該当する。
【００４５】
好適な例として、前記プランジ型の支持部材１４０は、独創的な円形態のデザインであって、どの方向からの衝撃もよく吸収することができ、固定ボルト１５０の位置も選別して固定可能な形態からなり得る。
【００４６】
前記プランジ型の支持部材１４０は、上端カバー１４１と下端固定プレート１４５を含んで構成され得る。
【００４７】
前記上端カバー１４１の上端には、前記管型のクランプ１２０の外径延長部１２５を係止して固定させる段差部が備えられ得る。
【００４８】
これによって、前記管型のクランプ１２０の上端部に形成された管型の胴体１２１は前記上端カバー１４１の中空を通じて上向に突出されるのに対し、前記管型のクランプ１２０の下端部に形成された外径延長部１２５は前記段差部に係止して固定され得る。
【００４９】
前記下端固定プレート１４５は、前記上端カバー１４１の下部から外側に拡張された形状を有し得る。例えば、図３に示すように、円状のプレートの形態に提供され得る。
【００５０】
尚、前記下端固定プレート１４５は、地面に向けて多数の固定ボルト１５０を締結させるための多数の固定ボルトの締結孔を備えることができる。
【００５１】
一方、前記上端カバー１４１と前記下端固定プレート１４５との間には、構造を補強するために傾くように連結された傾斜連結部１４３が更に備えられ得る。前記傾斜連結部１４３は、ラウンド形状に備えられても構わない。
【００５２】
上記のような構造を有するコラム部材１１０、管型のクランプ１２０、衝撃吸収部材１３０、及びプランジ型の支持部材１４０が地面Ｇ上に設けられた姿は、図３の断面図に示されている。
【００５３】
図５は、本発明の実施例に係る、ラックを保護するためのポールタイププロテクターを設けた姿を示す図であり、図６は、本発明の実施例に係る、ラックを保護するためのポールタイププロテクターに衝撃が加えられた姿を示す図である。
【００５４】
図５を参照すれば、図示されているラックを保護するためのポールタイププロテクター１００は、地面Ｇ上に設けられ得る。例えば、工場、倉庫などの各種の施設物内に設けられることができ、道路などに設けられて歩行者及び車の運行上の安全を確保する機能を提供し得る。
【００５５】
図６を参照すれば、前記ラックを保護するためのポールタイププロテクター１００に、外部からの衝撃、すなわち、外力Ｆが作用した姿が示されている。
【００５６】
特に、前記コラム部材１１０の方に外力Ｆが加えられる場合、前記コラム部材１１０が固定された管型のクランプ１２０は、プランジ型の支持部材１４０内に拘束された状態で下側の衝撃吸収部材１３０を一側方向に加圧し、前記コラム部材１１０が一側に傾くようにする。
【００５７】
すなわち、前記コラム部材１１０は、前記衝撃吸収部材１３０の弾性挙動によって傾いた形態で流動が自由になるように固定され得る。
【００５８】
これによって、外部からの衝撃を受けて、部分または全体的な破端が引き起こされるか、永久的な変形が発生される問題を防止することで、新品への入れ替えによる費用を節減することができる。
【００５９】
さらに、本発明の実施例に係る、ラックを保護するためのポールタイププロテクター１００は、フェンス形態に提供され得る。
【００６０】
図７は、本発明の実施例に係る、ラックを保護するためのポールタイププロテクターに横方向の連結部材を設けた姿を簡略に示す図である。
【００６１】
図７を参照すれば、少なくとも一対のコラム部材１１０の間を横方向に連結する横方向の連結部材２１０を含み、フェンス形態のポールタイププロテクター２００で提供され得る。
【００６２】
前記横方向の連結部材２１０が前記一対のコラム部材１１０の上端に連結される構造に対しては特定の形態に制限される必要がなく、多様な方式で結束されて設けられ得る。
【００６３】
図８は、図７の横方向の連結部材の長さの内側に伸縮部材を備えた姿を示す図である。
【００６４】
図８を参照すれば、図７を通じて説明した横方向の連結部材２１０には伸縮部材２２０が更に備えられ得る。
【００６５】
前記伸縮部材２２０は、前記横方向の連結部材２１０の長さの内側に備えられ、横方向に長さの伸張及び縮小が可能な部材を意味する。このような伸縮部材２２０の長さの伸縮機能により、前記コラム部材１１０に外部からの衝撃が加えられる場合、構造的な破端や損傷を防止することができる。
【００６６】
図９は、図７の横方向の連結部材を複数設けた姿を示す図である。
【００６７】
図９を参照すれば、複数の横方向の連結部材２１０、２１１が前記コラム部材１１０の上端と中央に設けられた姿が示されている。
【００６８】
未図示であるが、これらのそれぞれの横方向の連結部材２１０、２１１の長さの内側には、前述した伸縮部材２２０が少なくとも１つずつ備えられることができ、これによってコラム部材に衝撃が加えられた場合にも構造的な破端や損傷を防止することができる。
【００６９】
前述したように、本発明の構成及び作用によると、外部から大きい衝撃が加えられた場合、設定範囲内で弾性挙動が現われ、ラックの構造的な安全性を確保することができる。
【００７０】
また、本発明の実施例に係ると、ラックの周辺に沿って設置作業が容易であり、設置に所要される作業時間を大幅に減らすことができる。
【００７１】
以上、本発明のラックを保護するためのポールタイププロテクターについて具体的に述べた。
【００７２】
以上のように、本発明は、たとえ限定された実施例及び図面によって説明されているが、本発明は上記の実施例に限定されず、これは本発明が属する分野で通常の知識を持った者であれば、このような記載から多様な修正及び変形が可能である。
【００７３】
よって、本発明の思想は、下述する特許請求の範囲のみによって把握されるべきであり、その均等または等価的な変形は何れも本発明の範疇に属していると言える。
【符号の説明】
【００７４】
Ｇ：底
１００：ラックを保護するためのポールタイププロテクター
１１０：コラム部材
１１１：コラム部材の下端部
１２０：管型のクランプ
１２１：クランプの胴体
１２２：コラム部材の挿入口
１２３：ネジ締結孔
１２５：外径延長部
１３０：衝撃吸収部材
１３１：内部の中空
１３３：衝撃吸収部材の上部面
１４０：プランジ型の支持部材
１４１：上端カバー
１４３：傾斜連結部  
１４５：下端固定プレート  
１４７：固定ボルトの締結孔
１５０：固定ボルト
２００：フェンス形態のポールタイププロテクター
２１０：横方向の連結部材  
２２０：伸縮部材  
３００：キャップ  
３０１：結合空間部  
３０２：突出穿孔部  
３０３：係止突起  
３０４：支持部  
３０５：本体部  
４００：センサーモジュール  
４０１：スピーカー  
４０３：感知センサー  
【図１】
2018066144.tif 000003
【図２】
2018066144.tif 000004
【図３】
2018066144.tif 000005
【図４】
2018066144.tif 000006
【図５】
2018066144.tif 000007
【図６】
2018066144.tif 000008
【図７】
2018066144.tif 000009
【図８】
2018066144.tif 000010
【図９】
2018066144.tif 000011
【図１０】
2018066144.tif 000012
【図１１】
2018066144.tif 000013